(57)【要約】【課題】被検者の鼻の周囲の小空間を隔離する器具を被検者に装着した場合にストレスによる検査結果への悪影響が少なく、しかも、ＭＲＩで使用するヘッドコイルの形状が異なっても、臭気隔離装置の形状を種々用意する必要がない脳科学用臭気隔離装置を提供することを目的とする。【解決手段】形態が変形自在であり、しかも機密性を具備する袋状体と、上記袋状体と連通するパイプと、上記袋状体の端部を被検者に密着させる密着手段とを有し、上記袋状体は、脳の状態を検査する被検者の頭部と顔とを覆うものであることを特徴とする。【選択図】図１
2017184889.tif 000002
【特許請求の範囲】
【請求項１】
形態が変形自在であり、しかも機密性を具備する袋状体と；
上記袋状体と連通するパイプと；
上記袋状体の端部を被検者に密着させる密着手段と；
を有し、上記袋状体は、脳の状態を検査する被検者の頭部と顔とを覆うものであることを特徴とする脳科学用臭気隔離装置。
【請求項２】
請求項１において、
上記袋状体は、合成樹脂製であり、しかも、透明、半透明、または、不透明であることを特徴とする脳科学用臭気隔離装置。
【請求項３】
請求項１において、
上記袋状体には、ヘッドホンまたはマイクロホンが設けられていることを特徴とする脳科学用臭気隔離装置。
【請求項４】
請求項１において、
上記パイプは、所定の臭いを含む気体を送る送気パイプ、上記袋状体内の気体を排出する排気パイプであることを特徴とする脳科学用臭気隔離装置。
【請求項５】
請求項１において、
上記密着手段は、帯状重り、粘土状重り、面ファスナー、紐、輪ゴムのうちの少なくとも１つであることを特徴とする脳科学用臭気隔離装置。
【請求項６】
光触媒性ナノ粒子を人体に供給する光触媒供給手段と；
上記人体に供給された上記光触媒性ナノ粒子に所定の光を照射する光照射手段と；
を有し、上記光触媒性ナノ粒子に所定の波長の光を照射することによって、上記人体または上記人体の周辺に存在している臭いを消去することを特徴とする消臭装置。
【請求項７】
請求項６において、
形態が変形自在であり、しかも機密性を具備する袋状体であって、上記人体を覆う袋状体を有することを特徴とする消臭装置。
【請求項８】
請求項６において、
上記人体は、髪の毛であることを特徴とする消臭装置。
【発明の詳細な説明】
【技術分野】
【０００１】
本発明は、脳科学用臭気隔離装置に関する。
【背景技術】
【０００２】
被検者に特定の臭気を嗅がせた場合における脳の活動状態を、ＭＲＩ（磁気共鳴画像装置）で検出することが知られている。
【０００３】
ＭＲＩ内のベッドに被検者が横たわっている状態で、被検者に所定の臭いを嗅がせるために、被検者の鼻の周囲に所定の臭いを供給するときに、その所定の臭いが、ＭＲＩ装置が設置されているＭＲＩ室の全体に拡散する。この状態で、新たな臭いを被検者の鼻に送ると、被検者の鼻に直前に送った臭いが鼻の周囲に漂っているので、直前の臭いと新たな臭いとが混合され、新たな臭いによる被検者の状態を正確に検査することができない。
【０００４】
新たな臭いのみを被検者に嗅がせるためには、直前の臭いを、被検者の鼻の周囲から除去する必要があり、この臭気除去作業が煩雑であり、時間がかかる。
【０００５】
そこで、被検者の鼻にパイプを挿入し、このパイプを介して、臭い発生装置から所定の臭いを供給し、その臭いによるＭＲＩ検査が終わったときに、その臭いを排出、除去する装置が知られている（たとえば、特許文献１参照）。
【先行技術文献】
【特許文献】
【０００６】
【特許文献１】特開２０１２−２４４２２
【発明の概要】
【発明が解決しようとする課題】
【０００７】
しかし、上記従来例では、被検者の鼻にパイプを挿入するので、そのパイプを装着することによって、被検者にストレスが加わり、このストレスが、検査結果に悪影響を与える場合がある。
【０００８】
被検者の鼻にパイプを装着することによるストレスを少なくするには、宇宙服または潜水服を構成するヘルメット（頭全体を覆うヘルメット）を被検者の頭に装着することが考えられる。このヘルメットは、鼻に挿入するパイプよりも、装着した場合に被検者のストレスが少ないので、装着による検査結果への悪影響が少ないと考えられる。
【０００９】
一方、検査中にＭＲＩ内のベッドに被検者が横たわる場合、検査中に被検者の頭が動かないように、ヘッドコイルと呼ばれる固定器具を介して、被検者の頭をＭＲＩのベッドに固定する必要がある。また、このヘッドコイルには、脳からの信号を受信する受信機が設けられている。
【００１０】
上記ヘッドコイルの形状は、ＭＲＩのメーカー等によって種々異なる。上記ヘッドコイルの形状は、たとえば、円筒状であったり鳥かご状であったり、または、他の形状でもある。
【００１１】
上記のように、脳科学用臭気隔離装置としてのヘルメットを、形状が異なる種々のヘッドコイルに装着する場合、複数種類のヘルメットの形状毎に、ヘルメットを製造する必要があり、その製造が煩雑であるという問題がある。
【００１２】
本発明は、被検者の鼻の周囲の小空間を隔離する器具を被検者に装着した場合にストレスによる検査結果への悪影響が少なく、しかも、ＭＲＩで使用するヘッドコイルの形状が異なっても、臭気隔離装置の形状を種々用意する必要がない脳科学用臭気隔離装置を提供することを目的とする。
【課題を解決するための手段】
【００１３】
本発明の脳科学用臭気隔離装置は、形態が変形自在であり、しかも機密性を具備する袋状体と、上記袋状体と連通するパイプと、上記袋状体の端部を被検者に密着させる密着手段とを有し、上記袋状体は、脳の状態を検査する被検者の頭部と顔とを覆うものであることを特徴とする。
【発明の効果】
【００１４】
本発明によれば、被検者の鼻の周囲の小空間を隔離する器具を被検者に装着した場合にストレスによる検査結果への悪影響が少なく、しかも、ＭＲＩで使用するヘッドコイルの形状が異なっても、臭気隔離装置の形状を種々用意する必要がないという効果を奏する。
【図面の簡単な説明】
【００１５】
【図１】本発明の実施例１である脳科学用臭気隔離装置１００を示す図である。
【図２】脳科学用臭気隔離装置１００を被検者２０の頭２１に被せた状態を示す図である。
【図３】脳科学用臭気隔離装置１００を被検者２０の頭２１に被せた状態で、被検者２０がＭＲＩ４０に横たわっている状態を示す図である。
【図４】本発明の実施例２である消臭装置２００を示す図である。
【発明を実施するための形態】
【００１６】
発明を実施するための形態は、以下の実施例である。
【実施例１】
【００１７】
図１は、本発明の実施例１である脳科学用臭気隔離装置１００を示す図である。
【００１８】
図２は、脳科学用臭気隔離装置１００で、被検者２０の頭２１、顔２２を覆った状態を示す図である。
【００１９】
脳科学用臭気隔離装置１００は、柔軟性機密袋１０と、帯状重りＷとを有し、被検者２０の脳の状態を検査するために使用する装置である。
【００２０】
柔軟性機密袋１０は、被検者２０の頭２１と顔２２を覆うことができる程度の大きさを持つ袋状体であり、形態が変形自在であり、機密性を具備し、透明であることが好ましい。また、柔軟性機密袋１０は、ビニール、ポリエチレン等の合成樹脂製であるが、半透明、不透明であってもよい。
【００２１】
帯状重りＷは、柔軟性機密袋１０の端部１０ｅに設けられ、柔軟性機密袋１０の端部１０ｅを被検者２０に密着させる密着手段である。帯状重りＷは、環状であり、非磁性体であり、柔らかく、被検者２０が横になったときに、柔軟性機密袋１０の端部１０ｅを被検者２０の首または胸に密着する程度の重さを有する。帯状重りＷは、環状である代わりに、Ｃ字状、Ｕ字状であってもよい。この場合、Ｃ字状、Ｕ字状の開口部が被検者２０の背中に位置するようにすれば、被検者２０が横たわったときに上記開口部が被検者２０の背中で押されるので、機密性を担保できる。
【００２２】
柔軟性機密袋１０の側面１０ｓにヘッドホンＨ１、Ｈ２、送気パイプＰ１、排気パイプＰ２が設けられ、柔軟性機密袋１０の図１中、前面１０ｆに、マイクロホンＭが設けられている。
【００２３】
ヘッドホンＨ１、Ｈ２のそれぞれに、信号線Ｌ１、Ｌ２が接続されている。マイクロホンＭに信号線Ｌ３が接続されている。送気パイプＰ１の一端、排気パイプＰ２の一端は、それぞれ、柔軟性機密袋１０の内部と通じている。
【００２４】
次に、脳科学用臭気隔離装置１００を使用してＭＲＩ検査を行う場合の動作について説明する。
【００２５】
まず、図２に示すように、脳科学用臭気隔離装置１００を被検者２０の頭２１に被せ、柔軟性機密袋１０で頭２１、顔２２をすっぽり覆う。
【００２６】
図３は、脳科学用臭気隔離装置１００を被検者２０の頭２１、顔２２に被せた状態で、被検者２０がＭＲＩ４０に横たわっている状態を示す図である。
【００２７】
柔軟性機密袋１０で頭２１、顔２２をすっぽり覆った後に、ＭＲＩ４０に設けられているベッド４１に被検者２０が横たわる。ＭＲＩ４０に設けられているベッド４１に被検者２０が横たわった後に、ヘッドコイル４２を使用して、被検者２０の頭２１が動かないように固定する。
【００２８】
この状態では、帯状重りＷが、被検者２０の首または胸に載置され、帯状重りＷが被検者２０の首または、胸に密着し、柔軟性機密袋１０がその内部の気体を隔離する。なお、帯状重りＷと被検者２０の首または胸とが密着していない部分があれば、ＭＲＩ４０の検査員が、帯状重りＷを被検者２０の首または胸に軽く押しつける。帯状重りＷは、ある程度重さがありしかも柔らかいので、押しつけることによって、帯状重りＷが被検者２０の首または胸と密着する。
【００２９】
そして、柔軟性機密袋１０に設けられているヘッドホンＨ１、Ｈ２、マイクロホンＭに接続されている信号線Ｌ１、Ｌ２、Ｌ３を、図示しない所定の端子に接続する。また、送気パイプＰ１の他端を臭い発生手段３１に接続し、排気パイプＰ２の他端をＭＲＩ室の外部または消臭手段３２に接続する。
【００３０】
送気パイプＰ１からは、空気とともに、所定の臭いが被検者２０の鼻に送られる。この場合、帯状重りＷの重りによって、柔軟性機密袋１０の端部１０ｅが被検者２０の首、胸に密着しているので、柔軟性機密袋１０内の気体、臭いが柔軟性機密袋１０の外部に漏れることがない。
【００３１】
そして、所定の臭いが被検者２０の鼻に送られた状態で、被検者２０の脳の状態をＭＲＩ４０が検出する。
【００３２】
このようにして、所定の臭いが被検者２０の鼻に送られてから所定時間経過後に、臭い発生手段３１からは、臭いを含まない空気が送られ、これとともに、消臭手段３２に設けられている排気手段が排気パイプＰ２を介して、柔軟性機密袋１０内の空気と臭いとを吸気する。これによって、排気パイプＰ２を介して、消臭手段３２に送られた臭いは、消臭される。よって、柔軟性機密袋１０内の臭いは、短時間で、被検者２０の鼻の周囲からなくなる。
【００３３】
鼻に送られる臭いを変えることによって、臭い毎に、被検者２０の脳の状態を検出することができる。
【００３４】
ところで、被検者２０が所定の臭いを嗅ぐことによって、脳の状態が変化すると考えられ、活性化した脳の部分には、血流が増加し、これによって、血液中のヘモグロビンが増加する。ヘモグロビンは鉄を含み、この鉄の量を検出すれば、脳の活性化部分を特定することができるとともに、活性化の度合いを検出することができる。
【００３５】
なお、信号線Ｌ１、Ｌ２、Ｌ３として使用する銅線は非磁性体であるので、ＭＲＩ４０内で使用しても問題がない。
【００３６】
一方、柔軟機密袋１０に面ファスナーを、図１に示す柔軟性機密袋１０の端部１０ｅに設けるようにしてもよい。面ファスナーは、フック部とループ部とを有する。フック部とループ部とは、それぞれ、柔軟性機密袋１０の端部１０ｅ（開口付近）に固着されている。柔軟性機密袋１０が、図１中、横方向に伸びでいる状態では、フック部とループ部とが、互いに所定間隔を保っている。フック部とループ部と貼り合わせると、柔軟性機密袋１０の端部１０ｅ（開口部）が括られる。面ファスナーを絞める場合、被検者２０が呼吸に支障がない程度の強さで面ファスナーを絞める。これによって、被検者２０の頭２１、顔２２は、機密性が保たれ、柔軟性機密袋１０内の気体は、柔軟性機密袋１０の外には漏れない。
【００３７】
このようにして、臭い発生手段３１から送気パイプＰ１を介して、空気のみを送り、排気パイプＰ２を介して、臭いを吸気するので、短時間で、柔軟性機密袋１０内の臭いがなくなり、また、ＭＲＩ４０が設置されているＭＲＩ室には、臭いが拡散されない。
【００３８】
上記実施例において、帯状重りＷの代わりに、紐または輪ゴムを使用するようにしてもよい。また、帯状重りＷとともに、面ファスナー、紐、輪ゴムのうちの少なくとも１つを使用するようにしてもよい。すなわち、柔軟性機密袋１０の端部１０ｅを被検者２０に密着させる場合、帯状重りＷ、粘土状重り、面ファスナー、紐、輪ゴムのうちの少なくとも１つの密着手段を使用する。
【００３９】
なお、上記実施例において、柔軟性機密袋１０に、ヘッドホンＨ１、Ｈ２とマイクロホンＭとを設けなくてもよい。
【００４０】
上記実施例において、ヘッドコイル４２を柔軟性機密袋１０で包むようにしてもよい。つまり、柔軟性機密袋１０の中にヘッドコイル４２を入れるようにしてもよい。
【００４１】
脳科学用臭気隔離装置１００は、ＭＲＩで脳の状態を検査するための臭気隔離装置であるが、ＭＲＩを使用する代わりに、脳磁計（ＭＥＧ）、脳赤外計測（ＮＩＲＳ）等を使用して脳の状態を検査するようにしてもよい。
【実施例２】
【００４２】
図４は、本発明の実施例２である消臭装置２００を示す図である。
【００４３】
消臭装置２００は、基本的には、ＭＲＩ用臭気隔離装置１００と同じである。消臭装置２００がＭＲＩ用臭気隔離装置１００と異なる点は、ＭＲＩ用臭気隔離装置１００において、臭い発生手段３１の他に、光触媒供給手段３５を設け、消臭手段３２の代わりに、排気手段３６を設け、光照射手段５０を追加した点である。
【００４４】
光触媒供給手段３５は、光触媒性ナノ粒子を柔軟性機密袋１０に供給する手段であり、上記光触媒性ナノ粒子を人体に供給する手段である。
【００４５】
光触媒性ナノ粒子は、花粉程度の大きさの粒子であり、人体には悪影響を及ぼさない物質である。光触媒性ナノ粒子として、たとえば二酸化チタン（ＴｉＯ２）が考えられ、これは、生体に対してほとんど無害である。特に、多孔質二酸化チタンは、光触媒で極めて重要な物質である。多孔質二酸化チタンナノ粒子を得るには、水熱法、ゾル−ゲル法、自己集合法が知られているが、超臨界流体を反応場とする有機・無機ハイブリッドナノ粒子合成法が報告され、極めて短時間でナノ粒子の合成が可能である。
【００４６】
排気手段３６は、柔軟性機密袋１０内の空気を、柔軟性機密袋１０の外部に排出する手段である。
【００４７】
光照射手段５０は、柔軟性機密袋１０内の臭いを消去するために供給された光触媒性ナノ粒子に照射する光を発生する手段である。光照射手段５０が照射する光の波長は、柔軟性機密袋１０内に供給された光触媒性ナノ粒子が活性化し、においを分解する波長であり、光照射手段５０が照射する光は、可視光、赤外光、紫外光である。
【００４８】
上記実施例において、においと光触媒性ナノ粒子とを、柔軟性機密袋１０に、交互に供給するようにしてもよい。
【００４９】
また、光触媒性ナノ粒子を人の髪の毛に供給し、所定の波長の光を照射するようにしてもよい。このようにすると、光触媒の効果で、短時間で、髪の毛のにおいを除去することができる。
【符号の説明】
【００５０】
１００…脳科学用臭気隔離装置、
１０…柔軟性機密袋、
２０…被検者、
４０…ＭＲＩ、
４２…ヘッドコイル。
【図１】
2017184889.tif 000003
【図２】
2017184889.tif 000004
【図３】
2017184889.tif 000005
【図４】
2017184889.tif 000006